(57)【要約】【課題】楽曲データと関連付けられた楽曲管理情報が記録されていない記録媒体でも、簡易な操作でユーザの所望する楽曲を抽出して再生することができる記録媒体再生装置および記録媒体再生方法を提供する。【解決手段】ＵＳＢメモリ２０に記録されている楽曲データ２１のタイトルリストを表示部７に表示させて、登録したい属性情報が含まれている楽曲のタイトルを選択し再生して、再生中にタグ表示切り替えボタン１２を操作して登録したい属性情報に切替えて、その属性情報をプリセットボタン１１を長押しして登録する。その後、属性情報が登録されているプリセットボタン１１が操作された場合は、ＵＳＢメモリ２０からそのプリセットボタン１１に登録されている属性情報と一致する属性情報を持つ楽曲データ２１を検索、抽出し、プリセットボタン１１に登録されている属性情報と一致する属性情報を持つ楽曲データ２１の再生リストを作成して自動再生する。【選択図】図２
2012146355.tif 000002
【特許請求の範囲】
【請求項１】
楽曲の複数の属性情報からなるメタデータおよび再生された際に音楽として出力される本体データを含む楽曲データが記録されている記録媒体と、前記記録媒体から前記メタデータに含まれている属性情報を表示可能な表示手段と、前記本体データを再生する再生手段と、を備えた記録媒体再生装置において、
前記複数の属性情報のうち一つの属性情報が登録可能なプリセットボタンと、
前記表示手段に表示された前記属性情報から任意の属性情報を選択して、前記プリセットボタンに登録する登録手段と、
前記プリセットボタンが操作された場合は、前記記録媒体に記録されている楽曲データから当該プリセットボタンに登録されている前記属性情報を含む前記楽曲データを検索して抽出する抽出手段と、
を備えていることを特徴とする記録媒体再生装置。
【請求項２】
前記登録手段は、前記表示手段に表示された前記属性情報の一つである楽曲のタイトルをリスト状に構成したタイトルリストから任意の楽曲を選択する選択手段と、前記選択手段が選択した任意の楽曲の前記属性情報を切り替える属性切替手段と、前記属性切替手段によって切り替えられる前記属性情報から登録する前記属性情報を確定する登録確定手段と、を備えていることを特徴とする請求項１に記載の記録媒体再生装置。
【請求項３】
前記表示手段は、前記抽出手段が抽出した前記楽曲データのタイトルをリスト状に構成して表示することを特徴とする請求項１または２に記載の記録媒体再生装置。
【請求項４】
前記再生手段は、前記抽出手段が抽出した前記楽曲データを自動再生することを特徴とする請求項１または２に記載の記録媒体再生装置。
【請求項５】
複数種類の前記記録媒体を備え、前記抽出手段は、その複数種類の前記記録媒体に亘って前記プリセットボタンに登録されている前記属性情報を含む前記楽曲データを検索して抽出することを特徴とする請求項１乃至４のうちいずれか一項に記載の記録媒体再生装置。
【請求項６】
楽曲の複数の属性情報からなるメタデータおよび再生された際に音楽として出力される本体データを含む楽曲データが記録されている記録媒体を再生する記録媒体再生方法において、
表示手段に表示された前記属性情報から任意の属性情報を選択して、前記複数の属性情報のうち一つの属性情報が登録可能なプリセットボタンに登録する登録工程と、
前記プリセットボタンが操作された場合は、前記記録媒体に記録されている楽曲データから当該プリセットボタンに登録されている前記属性情報を含む前記楽曲データを検索して抽出する抽出工程と、
を含むことを特徴とする記録媒体再生方法。
【発明の詳細な説明】
【技術分野】
【０００１】
本発明は、例えばＤＶＤ−Ｒ（Digital Versatile Disc-Recordable）やＵＳＢ（Universal Serial Bus）メモリなどの記録媒体に格納されたメタデータを含む楽曲データを再生する記録媒体再生装置および記録媒体再生方法に関する。
【背景技術】
【０００２】
例えば、ＤＶＤ−ＲやＵＳＢメモリまたはＵＳＢ接続のハードディスクドライブ（ＨＤＤ）などの大量の楽曲データを保有可能な再生媒体を再生機器で再生する際は、一般的には楽曲データが格納されたフォルダ構成に則った再生方法が取られる場合が多い。詳しく説明すると、例えば、ＡＡＡという名称のフォルダが作成され、そのフォルダに複数の楽曲データが格納されている場合、ＡＡＡフォルダが選択されるとＡＡＡフォルダに格納されている楽曲データを連続、或いはランダムで再生するという再生方法である。
【０００３】
この種の再生装置では、例えば、特定のアーティストの楽曲のみを選曲したい場合は、当該アーティストのフォルダを作成し、当該フォルダに該当する楽曲を格納しなければならず、フォルダが作成されていない場合は、そのような選曲は不可能であった。即ち、ある条件に合致する曲のみを選んで再生するという動作の実現は、予めフォルダによる分類がなされていない場合困難であった。
【０００４】
一方、近年普及してきている携帯型の再生装置であるデジタルオーディオプレーヤでは、当該プレーヤが楽曲のタイトルとアーティスト、作曲者、ジャンルなどの属性情報が関連付けられた楽曲管理情報を保有しているため、特定のアーティスト名などのキーワードで聴きたい楽曲を絞り込んで再生することが可能である。
【０００５】
また、記録媒体に記録されている楽曲データを検索して再生する再生装置として、例えば特許文献１に記載のデータ再生装置や特許文献２に記載のオーディオ装置が提案されている。
【０００６】
特許文献１に記載されたデータ再生装置は、ＣＤ−Ｒなどの記録媒体に格納されている音楽ファイルやフォルダ等を音響記録再生装置のプリセットキーに登録し、その登録データ（キー登録テーブルデータ）を当該ＣＤ−Ｒに記録することで、記録媒体ごとに所望の楽曲を簡易な操作で再生している。
【０００７】
特許文献２に記載されたオーディオ装置は、プリセットキーにアルバム名などの複数のオーディオデータを割り当て、当該プリセットキーが第１の入力状態の場合には、割り当てられたアルバム名の楽曲をスキャン再生し、当該プリセットキーが第２の入力状態の場合には、連続再生を行っている。
【先行技術文献】
【特許文献】
【０００８】
【特許文献１】特開２００３−２０３４６３号公報
【特許文献２】特開２００９−２９５２３１号公報
【発明の概要】
【発明が解決しようとする課題】
【０００９】
しかしながら、特許文献１に記載のデータ再生装置では、キー登録テーブルデータを記録媒体ごとに記録してしまうため、当該記録媒体以外ではプリセットキーに割り当てられた音楽ファイルやフォルダ等を検索することができないという問題があった。また、記録媒体にキー登録テーブルデータが記録されてしまうため読み出し専用の記録媒体には適用できない。例えばＣＤ−Ｒではファイナライズしてしまうと追加記録できなくなるために、プリセットキーの割り当ては、ファイナライズ前に行わなければならないという問題がある。
【００１０】
また、特許文献２に記載のオーディオ装置では、スキャン再生または通常再生しか行えず、ランダム再生やリピート再生など再生モードを選択することはできず、プリセットキーに設定された再生モードでしか再生できないという問題があった。
【００１１】
そこで、本発明は、楽曲データと関連付けられた楽曲管理情報が記録されていない記録媒体でも、簡易な操作でユーザの所望する楽曲を抽出して再生することができる記録媒体再生装置および記録媒体再生方法を提供することを課題とする。
【課題を解決するための手段】
【００１２】
上記課題を解決するために、請求項１に記載の記録媒体再生装置は、楽曲の複数の属性情報からなるメタデータおよび前記再生された際に音楽として出力される本体データを含む楽曲データが記録されている記録媒体と、前記記録媒体から前記メタデータに含まれている属性情報を表示可能な表示手段と、前記本体データを再生する再生手段と、を備えた記録媒体再生装置において、前記複数の属性情報のうち一つの属性情報が登録可能なプリセットボタンと、前記表示手段に表示された前記属性情報から任意の属性情報を選択して、前記プリセットボタンに登録する登録手段と、前記プリセットボタンが操作された場合は、前記記録媒体に記録されている楽曲データから当該プリセットボタンに登録されている前記属性情報を含む前記楽曲データを検索して抽出する抽出手段と、を備えていることを特徴としている。
【００１３】
請求項６に記載の記録媒体再生方法は、楽曲の複数の属性情報からなるメタデータおよび前記再生された際に音楽として出力される本体データを含む楽曲データが記録されている記録媒体を再生する記録媒体再生方法において、前記属性情報が表示可能な表示手段に表示された前記属性情報から任意の属性情報を選択して、前記複数の属性情報のうち一つの属性情報が登録可能なプリセットボタンに登録する登録工程と、前記プリセットボタンが操作された場合は、前記記録媒体に記録されている楽曲データから当該プリセットボタンに登録されている前記属性情報を含む前記楽曲データを検索して抽出する抽出工程と、を含むことを特徴としている。
【図面の簡単な説明】
【００１４】
【図１】本発明の一実施例にかかる記録媒体再生装置の正面図である。
【図２】図１に示された記録媒体再生装置の内部構成を示すブロック図である。
【図３】図１に示されたＵＳＢメモリ内に記録されている楽曲データの構成を示す説明図である。
【図４】図１に示された記録媒体再生装置の属性情報登録時の動作を示したフローチャートである。
【図５】図４に示された属性情報登録時の動作における表示部の表示の説明図である。
【図６】図１に示された記録媒体再生装置のプリセットボタン操作時の動作を示したフローチャートである。
【図７】図６に示されたプリセットボタン操作時の動作における表示部の表示の説明図である。
【発明を実施するための形態】
【００１５】
以下、本発明の一実施形態にかかる記録媒体再生装置を説明する。本発明の一実施形態にかかる記録媒体再生装置は、登録手段が、表示手段に表示された楽曲の属性情報から任意の属性情報を選択して、一つの属性情報が登録可能なプリセットボタンに登録し、抽出手段が、プリセットボタンが操作された場合は、記録媒体に記録されている楽曲データから当該プリセットボタンに登録されている属性情報を含む楽曲データを検索して抽出するので、プリセットボタンに属性情報を登録するだけでよく、楽曲管理情報が必要なく、記録媒体の種類や内容によらず所望の楽曲の検索と抽出ができ、抽出後の再生モードも制限されない。そのため、記録媒体の種類に依存しない均一な操作が実現でき、簡易な操作でユーザの所望する楽曲を抽出して再生することが可能となる。
【００１６】
また、登録手段は、表示手段に表示された属性情報の一つである楽曲のタイトルをリスト状に構成したタイトルリストから任意の楽曲を選択する選択手段と、選択手段が選択した任意の楽曲の属性情報を切り替える属性切替手段と、属性切替手段によって切り替えられる属性情報から登録する属性情報を確定する登録確定手段と、を備えてもよい。このようにすることにより、表示手段に表示されたタイトルリストから所望の属性情報を含む楽曲を選択して、属性情報を切替えて登録を確定することで、簡易な操作でユーザがプリセットボタンに属性情報を登録することができる。
【００１７】
また、表示手段は、抽出手段が抽出した楽曲データのタイトルをリスト状に構成して表示してもよい。このようにすることにより、表示されたリストから任意の楽曲のみを選択して再生することができる。
【００１８】
また、再生手段は、抽出手段が抽出した前記楽曲データを自動再生してもよい。このようにすることにより、抽出された楽曲データを自動的に再生されるので、プリセットボタンを押すだけで所望の楽曲の再生をすることができる。
【００１９】
また、複数種類の記録媒体を備えて、抽出手段は、その複数種類の記録媒体に亘ってプリセットボタンに登録されている属性情報を含む楽曲データを検索して抽出してもよい。このようにすることにより、例えばＤＶＤ−ＲとＵＳＢメモリなど、複数種類の記録媒体に亘って所望の楽曲を抽出することができる。
【００２０】
また、本発明の一実施形態にかかる記録媒体再生方法は、登録工程で、属性情報が表示可能な表示手段に表示された楽曲の属性情報から任意の属性情報を選択して、一つの属性情報が登録可能なプリセットボタンに登録し、抽出工程で、プリセットボタンが操作された場合は、記録媒体に記録されている楽曲データから当該プリセットボタンに登録されている属性情報を含む楽曲データを検索して抽出するので、プリセットボタンに属性情報を登録するだけでよく、楽曲管理情報が必要なく、記録媒体の種類や内容によらず所望の楽曲の検索と抽出ができ、抽出後の再生モードも制限されない。そのため、記録媒体の種類に依存しない均一な操作が実現でき、簡易な操作でユーザの所望する楽曲を抽出して再生することが可能となる。
【実施例】
【００２１】
本発明の一実施例を、図１乃至図５を参照して説明する。本発明の一実施例にかかる記録媒体再生装置としてのカーオーディオ装置１は、図１および図２に示したように、筐体２と、ＵＳＢインタフェース（Ｉ／Ｆ）３と、再生部４と、出力部５と、ＣＰＵ６と、表示部７と、ＲＯＭ８と、ＲＡＭ９と、操作部１０と、を備え、車両のインストルメントパネルなどに設置されている。
【００２２】
筐体２は、図１に示したように箱状に形成され、そのうち車両のインストルメントパネルに設置された際に使用者と相対する面２ａにＵＳＢＩ／Ｆ３と、表示部７と、操作部１０と、が設けられている。そして、筐体２は、図２に示したカーオーディオ装置１の各構成要素を収容している。
【００２３】
ＵＳＢＩ／Ｆ３は、後述するＵＳＢメモリ２０と接続するためのコネクタと、ＵＳＢ規格に沿った通信を行う通信制御部等を備え、ＣＰＵ６からの指示に基づいてＵＳＢメモリ２０に記録されている楽曲データを読み出して再生部４に出力する。
【００２４】
再生手段としての再生部４は、デコーダやＤＡコンバータなどを備えており、ＵＳＢＩ／Ｆ３が読み出した楽曲データをデコードし、属性情報はＣＰＵ６へ出力し、楽曲内容を示すデータはアナログ信号に変換して出力部５に出力する。
【００２５】
出力部５は、アンプや出力端子等を備えており、再生部４で再生されたアナログ信号を外部のスピーカ等に出力する。
【００２６】
ＣＰＵ６は、ＲＯＭ８に記録された制御プログラムに沿って動作してカーオーディオ装置１の再生や表示および、後述するプリセットボタン１１への登録処理やプリセットボタン１１操作時の処理を含む全体制御を司る。
【００２７】
表示手段としての表示部７は、例えば液晶ディスプレイなどで構成され、ユーザに対してＵＳＢメモリ２０の内容やＣＰＵ６が処理した結果等を出力表示する。
【００２８】
ＲＯＭ８は、ＣＰＵ６が動作する制御プログラムが記憶されている。ＲＡＭ９はＣＰＵ６が動作する際のワークエリアとして種々なデータが一時的に記憶される。
【００２９】
操作部１０は、プリセットボタン１１と、タグ表示切り替えボタン１２と、決定ボタン１３と、を備えている。
【００３０】
プリセットボタン１１は、矩形状に形成されたボタンであり、第１プリセットボタン１１ａ〜第６プリセットボタン１１ｆまでの６つが設けられ、各ボタン一つにつき、楽曲データのタグデータ内の一つの属性情報が登録可能となっている。なお、プリセットボタン１１は機械的な押しボタンに限らず、タッチパネルなど単に押す（触れる）操作で機能が動作するものであればよい。
【００３１】
属性切替手段としてのタグ表示切り替えボタン１２は、矩形状に形成されたボタンであり、楽曲データを再生中に表示部７に表示されたタグデータの属性情報を押す毎に切り替える。
【００３２】
選択手段としての決定ボタン１３は、円筒状に形成され、使用者と相対する面２ａから突出して設けられている。決定ボタン１３は、表示部７に選択表示された楽曲の再生を押す操作によって決定する。また、決定ボタン１３は、円筒の周方向に回転させることで、表示部７に表示されたリストなどからの選択や、楽曲再生時の音量の調整などを行うことができる。
【００３３】
記録媒体としてのＵＳＢメモリ２０は、ＵＳＢＩ／Ｆ３のコネクタと接続するためのコネクタと、楽曲データが記録されている不揮発性メモリと、不揮発性メモリとの入出力及びＵＳＢ規格に沿った通信を行う制御部等と備え、カーオーディオ装置１のＵＳＢＩ／Ｆ３と接続されると、不揮発性メモリに記録されている楽曲データが読み出させる。
【００３４】
ここで、ＵＳＢメモリ２０に記録される楽曲データについて図３を参照して説明する。楽曲データ２１は、複数の属性情報から構成されるメタデータとしてタグデータ２２と、楽曲の内容を示す本体データ２３から構成されている。そして、楽曲データ２１は楽曲１、楽曲２、…、楽曲ｎと楽曲ごとに構成されてＵＳＢメモリ２０に記録されている。タグデータ２２を構成する属性情報としては、例えば、楽曲のタイトル、アーティスト名、当該楽曲が属するアルバム名、ロックやポップスといったジャンル、楽曲の作曲者、リリース年などが挙げられる。
【００３５】
次に、上述した構成のカーオーディオ装置１において、プリセットボタン１１に属性情報を登録する動作を図４および図５を参照して説明する。図４に示したフローチャートはＣＰＵ６で実行される。なお、図５において、ＵＳＢメモリ２０は、ＵＳＢＩ／Ｆ３に装着された状態を示している。
【００３６】
まず、ステップＳ１０１において、装着されたＵＳＢメモリ２０に記録されている楽曲データのタイトルリストを作成してステップＳ１０２に進む。本実施例のカーオーディオ装置１では、まず、ＵＳＢメモリ２０が装着されると、ＵＳＢメモリ２０内の全楽曲データ２１から属性情報の１つであるタイトルを読み出してリスト状に構成したタイトルリストを作成し、表示部７に表示する。
【００３７】
次に、ステップＳ１０２において、登録したい属性情報が含まれている楽曲のタイトルを選択してステップＳ１０３に進む。本ステップでは、表示部７に表示されたタイトルリストから登録したい属性情報（例えばアーティスト名）が含まれている楽曲のタイトルを選択している。例えば、図５（ａ）では、ＮＯＲＩ＿ＳＯＵＮＤというタイトルの楽曲が選択されている。
【００３８】
次に、ステップＳ１０３において、選択した楽曲を再生してステップＳ１０４に進む。本ステップでは、ステップＳ１０２で選択した楽曲データを再生部４で再生させている。この際に、表示部７では図５（ｂ）に示すように、再生楽曲のタイトルが表示される。
【００３９】
次に、ステップＳ１０４において、タグ表示切り替えボタン１２により再生中の楽曲データ２１における登録したい属性情報に切り替えてステップＳ１０５に進む。
【００４０】
次に、ステップＳ１０５において、ユーザがプリセットボタン１１を長押ししてステップＳ１０６に進む。図５（ｃ）では、一例として第１プリセットボタン１１ａを長押ししている。
【００４１】
次に、ステップＳ１０６において、長押ししているプリセットボタン１１にすでに属性情報が登録されているか否か判断し、登録されている場合（ＹＥＳの場合）はステップＳ１０７に進み、登録されていない場合（ＮＯの場合）はステップＳ１０８に進む。
【００４２】
次に、ステップＳ１０７において、長押ししているプリセットボタン１１に登録されている属性情報を消去してステップＳ１０８に進む。
【００４３】
次に、ステップＳ１０８において、表示中の属性情報を長押ししているプリセットボタン１１に登録する。図５（ｃ）の場合、「アーティスト名がＮＯＲＩ＿ＳＵＺＵＫＩ」という情報が第１プリセットボタン１１ａに登録される。即ち、プリセットボタン１１が登録確定手段として機能する。
【００４４】
このように図４のフローチャートを実行することで表示部７に表示された属性情報から任意の属性情報を選択して、プリセットボタン１１に登録することができ、ＣＰＵ６は登録手段として機能し、図４のフローチャートが登録工程となる。
【００４５】
次に、属性情報が登録されているプリセットボタン１１が操作された際の動作を図６および図７を参照して説明する。図６に示したフローチャートはＣＰＵ６で実行される。
【００４６】
まず、ステップＳ２０１において、ユーザがプリセットボタン１１を操作したことを検出してステップＳ２０２に進む。
【００４７】
次に、ステップＳ２０２において、操作されたプリセットボタン１１に属性情報が登録されているか否かを判断し、登録されている場合（ＹＥＳの場合）はステップＳ２０３に進み、登録されていない場合（ＮＯの場合）は終了する。
【００４８】
次に、ステップＳ２０３において、検索対象とする楽曲を、記録媒体（ＵＳＢメモリ２０）に記録されている１番目の楽曲に設定しステップＳ２０４に進む。
【００４９】
次に、ステップＳ２０４において、プリセットボタン１１に登録されている属性情報と検索対象の楽曲の属性情報が一致したか否かを判断し、一致した場合（ＹＥＳの場合）はステップＳ２０５に進み、一致しない場合（ＮＯの場合）はステップＳ２０８に進む。本ステップでは、検索対象の楽曲データ２１のタグデータ２２内を検索して、プリセットボタン１１に登録されている属性情報（例えば、アーティスト名がＮＯＲＩ＿ＳＵＺＵＫＩ）と一致するかを判断している。
【００５０】
次に、ステップＳ２０５において、当該楽曲データ２１がプリセットボタン１１に登録されている属性情報と検索対象の楽曲の属性情報が一致した最初の楽曲か否かを判断し、最初の楽曲である場合（ＹＥＳの場合）はステップＳ２０６に進み、最初の楽曲で無い場合（ＮＯの場合）はステップＳ２０７に進む。
【００５１】
次に、ステップＳ２０６において、現在の再生リストを消去し、プリセットボタン１１に登録されている属性情報が一致した楽曲を再生リストに登録してステップＳ２０８に進む。本ステップでは、他のプリセットボタン１１が操作された際に作成された古い再生リストが残っていたので、その古い再生リストを消去し、ステップＳ２０１で押されたプリセットボタン１１に登録されている属性情報に一致する楽曲の再生リストを新たに作成している。
【００５２】
一方、ステップＳ２０７においては、検索対象の楽曲を再生リストを追加してステップＳ２０８に進む。本ステップでは、ステップＳ２０６が実行され、ステップＳ２０１で押されたプリセットボタン１１に登録されている属性情報に一致する楽曲の再生リストが作成されているので、その再生リストにステップＳ２０４でプリセットボタン１１に登録されている属性情報に一致したと判断された楽曲を追加している。
【００５３】
次に、ステップＳ２０８において、記録媒体に記録されている全ての楽曲を検索したか否かを判断し、検索した場合（ＹＥＳの場合）はステップＳ２０９に進み、検索していない場合（ＮＯの場合）はステップＳ２１２に進む。
【００５４】
次に、ステップＳ２０９において、プリセットボタン１１に登録されている属性情報が一致する楽曲が見つかったか否かを判断し、見つかった場合（ＹＥＳの場合）はステップＳ２１０に進み、見つからなかった場合（ＮＯの場合）はステップＳ２１１に進む。
【００５５】
次に、ステップＳ２１０において、再生リストの最初の楽曲から再生を行う。つまり、プリセットボタン１１に登録されている属性情報が一致した楽曲を再生部４に再生させている。なお、本ステップでは、再生リストの最初の楽曲から再生部４に再生させているが、それに限らず、再生リスト内でのランダム再生としてもよい。或いは、再生中に再生モード（ランダム、リスト順等）の切り替えを行ってもよい。
【００５６】
一方、ステップＳ２１１においては、プリセットボタン１１に登録されている属性情報が一致する楽曲が見つからなかったことをユーザに通知する。ユーザへの通知は例えば表示部７にメッセージを表示してもよいし、音声等で通知するようにしてもよい。
【００５７】
また、ステップＳ２１２においては、ステップＳ２０８で記録媒体に記録されている全ての楽曲を検索していないと判断されたため、検索対象の楽曲を記録媒体に記録されている次の楽曲に設定し、ステップＳ２０４に戻る。
【００５８】
図６のフローチャートのように動作させることで、図７に示したように、例えば、第１プリセットボタン１１ａが操作された場合は、ＵＳＢメモリ２０に記録されている楽曲データ２１から第１プリセットボタン１１ａに登録されている属性情報を含む楽曲データ２１を検索して抽出することができ、その後は、抽出された楽曲のリストである再生リストを作成し、自動再生するとともに表示部７に表示することができる。即ち、ＣＰＵ６が抽出手段として機能し、図６のフローチャートが抽出工程となる。
【００５９】
本実施例によれば、ＵＳＢメモリ２０に記録されている楽曲データ２１のタイトルリストを表示部７に表示させて、登録したい属性情報が含まれている楽曲のタイトルを選択し再生して、再生中にタグ表示切り替えボタン１２を操作して登録したい属性情報に切替えて、その属性情報をプリセットボタン１１を長押しして登録する。その後、属性情報が登録されているプリセットボタン１１が操作された場合は、ＵＳＢメモリ２０からそのプリセットボタン１１に登録されている属性情報と一致する属性情報を持つ楽曲データ２１を検索、抽出し、プリセットボタン１１に登録されている属性情報と一致する属性情報を持つ楽曲データ２１の再生リストを作成して自動再生している。そのため、ＵＳＢメモリ２０に楽曲管理情報を持たない場合でも所望の楽曲の検索と抽出ができ、抽出後の再生モードも制限されない。また、プリセットボタン１１を押すだけで所望の楽曲を抽出して再生するため、記録媒体の種類に依存しない均一な操作が実現でき、簡易な操作でユーザの所望する楽曲を抽出して再生することができる。
【００６０】
なお、上述した実施例では属性情報が登録されたプリセットボタン１１を操作した際には、登録されている属性情報と一致する属性情報を持つ楽曲データ２１を検索、抽出し、プリセットボタン１１に登録されている属性情報と一致する属性情報を持つ楽曲データ２１の再生リストを作成して自動再生しているが、自動再生せずに、再生リストを表示部７に表示するだけでもよい。このようにすることで、再生リストから任意の楽曲のみを選択して再生することができる。
【００６１】
また、上述した実施例では、記録媒体としてＵＳＢメモリ２０を示したが、ＤＶＤ−Ｒなど別の記録媒体でもよい。また、カーオーディオ装置１などにおいて、ＵＳＢメモリ２０とＤＶＤ−Ｒなど複数種類の記録媒体を同時に装着可能に構成し、属性情報が登録されたプリセットボタン１１を操作した際には、ＵＳＢメモリ２０だけでなく、ＤＶＤ−Ｒにおいても登録されている属性情報と一致する属性情報を持つ楽曲データ２１を検索、抽出対象としてもよい。即ち、複数種類の記録媒体に亘ってプリセットボタンに登録されている属性情報を含む楽曲データを検索して抽出してもよい。このようにすることにより、複数種類の記録媒体に亘って所望の楽曲を抽出することができる。
【００６２】
また、上述した実施例では、カーオーディオ装置１で説明したが、それに限らず、家庭内に設置するオーディオ機器や携帯用オーディオ機器などに適用してもよい。
【００６３】
前述した実施例によれば、以下のカーオーディオ装置１および記録媒体再生方法が得られる。
【００６４】
（付記１）楽曲の複数の属性情報からなるタグデータ２２および再生された際に音楽として出力される本体データ２３を含む楽曲データ２１が記録されているＵＳＢメモリ２０と、ＵＳＢメモリ２０からタグデータ２２に含まれている属性情報を表示可能な表示部７と、本体データ２３を再生する再生部４と、を備えたカーオーディオ装置１において、
複数の属性情報のうち一つの属性情報が登録可能なプリセットボタン１１と、
表示部７に表示された属性情報から任意の属性情報を選択して、プリセットボタン１１に登録するＣＰＵ６と、
プリセットボタン１１が操作された場合は、ＵＳＢメモリ２０に記録されている楽曲データ２１から当該プリセットボタン１１に登録されている属性情報を含む楽曲データ２１を検索して抽出するＣＰＵ６と、
を備えていることを特徴とするカーオーディオ装置１。
【００６５】
（付記２）楽曲の複数の属性情報からなるタグデータ２２および再生された際に音楽として出力される本体データ２３を含む楽曲データ２１が記録されているＵＳＢメモリ２０を再生する記録媒体再生方法において、
表示部７に表示された属性情報から任意の属性情報を選択して、複数の属性情報のうち一つの属性情報が登録可能なプリセットボタン１１に登録する登録工程と、
プリセットボタン１１が操作された場合は、ＵＳＢメモリ２０に記録されている楽曲データ２１から当該プリセットボタン１１に登録されている属性情報を含む楽曲データ２１を検索して抽出する抽出工程と、
を含むことを特徴とする記録媒体再生方法。
【００６６】
このカーオーディオ装置１および記録媒体再生方法によれば、楽曲管理情報を持たず、プリセットボタン１１に属性情報が登録されているために、記録媒体の種類や内容によらず所望の楽曲の検索と抽出ができ、抽出後の再生モードも制限されない。そのため、記録媒体の種類に依存しない均一な操作が実現でき、簡易な操作でユーザの所望する楽曲を抽出して再生することが可能となる。
【００６７】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００６８】
１        カーオーディオ装置（記録媒体再生装置）
４        再生部（再生手段）
６        ＣＰＵ（登録手段、抽出手段）
７        表示部（表示手段）
１１      プリセットボタン（登録確定手段）
１２      タグ表示切り替えボタン（属性切替手段）
１３      決定ボタン（選択手段）
【図１】
2012146355.tif 000003
【図２】
2012146355.tif 000004
【図３】
2012146355.tif 000005
【図４】
2012146355.tif 000006
【図５】
2012146355.tif 000007
【図６】
2012146355.tif 000008
【図７】
2012146355.tif 000009